(57)【特許請求の範囲】
【請求項１】
既存の建物を最上階に搬入した解体重機により上階から下階へと順次解体して行くにあたり、既存の床スラブにセメント系固結性流動物の現場打ちによる束柱を築造して、床スラブの垂直方向の補強を行った後、解体重機を搬入し、上階から下階へと順次、束柱ごと解体して行く建物の解体方法において、上下階間の床スラブを挟んで立設される束柱用の捨型枠を平面視において互に一部が重なり合う状態に交互にずらして配置し、床スラブには、互に重なり合わない位置で且つ下階の束柱用捨型枠の内法寸法の範囲内に下階の束柱用捨型枠に対するセメント系固結性流動物打設用の貫通孔を形成することを特徴とする建物の解体方法。
【請求項２】
上階の床スラブに形成されたセメント系固結性流動物打設用の貫通孔を基準にして下階の束柱用捨型枠を立設した後、この束柱用捨型枠を基準にして下階の床スラブにセメント系固結性流動物打設用の貫通孔を穿設することを特徴とする請求項１に記載の建物の解体方法。
【請求項３】
束柱用捨型枠としてダクト用スパイラル管を使用することを特徴とする請求項１又は２に記載の建物の解体方法。
【発明の詳細な説明】
【技術分野】
【０００１】
本発明は、例えば、集合住宅、事務所ビル、デパート等の大型店舗ビルのような多層構造とされた既存の建物を最上階（屋上又はその下階の床スラブ）に搬入した解体重機により上階から下階へと順次解体して行く建物の解体方法に関し、詳しくは、既存の建物を最上階に搬入した解体重機により上階から下階へと順次解体して行くにあたり、既存の床スラブにセメント系固結性流動物の現場打ちによる束柱を築造して、床スラブの垂直方向の補強を行った後、解体重機を搬入し、上階から下階へと順次、束柱ごと解体して行く建物の解体方法の改良に関する。
【背景技術】
【０００２】
本発明の出願人は、既存の建物を最上階に搬入した解体重機により上階から下階へと順次解体して行くにあたり、既存の床スラブにセメント系固結性流動物の現場打ちによる束柱を築造して、床スラブの垂直方向の補強を行った後、解体重機を搬入し、上階から下階へと順次、束柱ごと解体して行く建物の解体方法を、特許第４３４０２４３号として、既に提案している。
【０００３】
この解体方法は、解体重機を最上階に揚重し、上階から下階へと順次解体して行くにあたり、解体重機が作業する階から下の床スラブをセメント系固結性流動物の現場打ちによる束柱で支持し、上階から下階へと束柱ごと解体して行くので、特許文献１に詳細に記載されているとおり、解体重機が作業する階から下、何層分かの床スラブを当該床スラブに設置した鋼製の強力サポートで支持し、上階の解体終了後、取り外した強力サポートを順次、下階へと盛り替えて行く在来工法に比べると、以下のような多くの利点を有する。
【０００４】
即ち、強力サポートの設置・盛り替えの手間がなく、重量物である強力サポートを回収して、人力で仮設開口や階段から下層へと盛り替えて行くといった危険な重作業がなくなり、１フロア当りの面積が大きい建物であっても、解体重機直近での相伴作業が減少し、安全かつ迅速に解体できる。
【０００５】
また、セメント系固結性流動物の現場打ちによる束柱であるため、１フロア当りの面積が大きい建物を解体する場合のように、束柱が数量的にかなり多くなっても、対応可能であり、膨大な数量の強力サポートを準備する在来工法のように資材調達に苦慮しないで済む。
【０００６】
殊に、セメント系固結性流動物として、高規格流動化処理土（建設発生土とセメントと水と粗骨材とから調製され、あるいは、これらに高性能ＡＥ減水剤等の混和剤を加えて調製されたもの）を使用すると、生コンクリートを使用する場合に比して資材費が遥かに安くて済み、低コストで実施できる。
【０００７】
ところで、建物を上階から下階へと順次解体して行く場合、束柱の築造や、束柱を築造する際の物理的な障害物となる天井パネルや床パネルなどの内装仕上げ材の撤去は、上階から下階へと順次行うことが、工程上、望ましく、合理的でもある。また、束柱を築造するにあたっては、特許文献１に記載の通り、上階の床スラブに貫通孔（コア孔）を穿設した後、貫通孔の下方に束柱用の捨型枠を建て込み、上階の床スラブから前記貫通孔を介して前記捨型枠内にセメント系固結性流動物を打設することが望ましい。
【０００８】
一方、各階の束柱は上下階間の床スラブを挟んで同一垂直線上に配置することが、床スラブの補強上、必要不可欠とされるが、特許文献１に記載の通り、束柱を同一垂直線上に
配置するために、各階の束柱用捨型枠を平面視において完全に重なり合った位置に建て込むと、上階の束柱用捨片枠が障害物になって、上階の床スラブから下階の束柱用捨片枠にセメント系固結性流動物を打設することができないことになり、束柱は下階から上階へと築造して行かざるを得ない。この点において、特許文献１に記載の発明には改良の余地があった。
【先行技術文献】
【特許文献】
【０００９】
【特許文献１】特許第４３４０２４３号公報
【発明の概要】
【発明が解決しようとする課題】
【００１０】
本発明は、この点を改良したものであって、その目的とするところは、既存の建物を最上階に搬入した解体重機により上階から下階へと順次解体して行くにあたり、既存の床スラブにセメント系固結性流動物の現場打ちによる束柱を築造して、床スラブの垂直方向の補強を行った後、解体重機を搬入し、上階から下階へと順次、束柱ごと解体して行く建物の解体方法において、束柱の築造を、上階から下階へと順次行うことができるようにすることにある。
【課題を解決するための手段】
【００１１】
上記の目的を達成するために、本発明が講じた技術的手段は、次の通りである。即ち、請求項１に記載の発明は、既存の建物を最上階に搬入した解体重機により上階から下階へと順次解体して行くにあたり、既存の床スラブにセメント系固結性流動物の現場打ちによる束柱を築造して、床スラブの垂直方向の補強を行った後、解体重機を搬入し、上階から下階へと順次、束柱ごと解体して行く建物の解体方法において、上下階間の床スラブを挟んで立設される束柱用の捨型枠を平面視において互に一部が重なり合う状態に交互にずらして配置し、床スラブには、互に重なり合わない位置で且つ下階の束柱用捨型枠の内法寸法の範囲内に下階の束柱用捨型枠に対するセメント系固結性流動物打設用の貫通孔を形成することを特徴としている。
【００１２】
請求項２に記載の発明は、請求項１に記載の建物の解体方法であって、上階の床スラブに形成されたセメント系固結性流動物打設用の貫通孔を基準にして下階の束柱用捨型枠を立設した後、この束柱用捨型枠を基準にして下階の床スラブにセメント系固結性流動物打設用の貫通孔を穿設することを特徴としている。
【００１３】
請求項３に記載の発明は、請求項１又は２に記載の建物の解体方法であって、束柱用捨型枠としてダクト用スパイラル管を使用することを特徴としている。
【発明の効果】
【００１４】
請求項１に記載の発明によれば、上下階間の床スラブを挟んで立設される束柱用の捨型枠を平面視において互に一部が重なり合う状態に交互にずらして配置し、床スラブには、互に重なり合わない位置で且つ下階の束柱用捨型枠の内法寸法の範囲内に下階の束柱用捨型枠に対するセメント系固結性流動物打設用の貫通孔を形成するので、上階の束柱用捨型枠にセメント系固結性流動物を打設した後でも、下階の束柱用捨型枠に前記貫通孔からセメント系固結性流動物を流し込むことができ、束柱の築造を、上階から下階へと順次行うことができる。
【００１５】
即ち、各階の束柱用捨型枠が平面視において互に一部が重なり合う状態に交互にずらして配置されるので、各階の束柱をそれらの一部が同一垂直線上に配置された状態に築造でき、それでいて、上下階の束柱用捨型枠を交互にずらすことで、下階の束柱用捨型枠に対
するセメント系固結性流動物の流し口（貫通孔）を確保でき、束柱の築造を、上階から下階へと順次行うことができるのである。
【００１６】
請求項２に記載の発明によれば、上階の床スラブに形成されたセメント系固結性流動物打設用の貫通孔を基準にして下階の束柱用捨型枠を立設した後、この束柱用捨型枠を基準にして下階の床スラブにセメント系固結性流動物打設用の貫通孔を穿設するので、全フロアで必要とされた貫通孔の墨出し作業が殆ど不要となる。
【００１７】
即ち、特許文献１に記載のように、床スラブの所定位置に必要個数の貫通孔を形成した後、これらの貫通孔の真上に束柱用捨型枠を建て込む作業手順であれば、各フロアごとに夫々、コア抜きする位置（貫通孔を形成する位置）の墨出し作業が必要となるが、請求項２に記載の発明によれば、貫通孔の形成と束柱用捨型枠の建て込みの工程を逆転し、所定位置に建て込まれた束柱用捨型枠を基準にして、例えば、或る階では束柱用捨型枠から西に１５ｍｍずらして貫通孔を形成し、その下階においては、前記貫通孔の下方に建て込んだ束柱用捨型枠から東に１５ｍｍずらして貫通孔を形成するといったように、束柱用捨型枠を基準に交互に位置をずらしてコア抜き（貫通孔の形成）を行うことにより、貫通孔を形成する位置の墨出し作業は最上階で行うだけで済み、それより下の階における墨出し作業を省略することができるのである。
【００１８】
束柱用捨型枠としては、種々の材料のものを使用できるが、請求項３に記載のようにダクト用スパイラル管を使用すれば、軽量かつ安価であり、解体重機で束柱を解体する際、捨型枠ごと容易に解体できる等の利点がある。また、ダクト用スパイラル管として、公知のスライド式スパイラル管を使用すれば、任意の長さに調節することができて、施工が容易となる。
【図面の簡単な説明】
【００１９】
【図１】本発明に係る建物の解体方法を例示する概略縦断側面図である。
【図２】本発明に係る建物の解体方法を例示する概略縦断側面図である。
【図３】５階まで解体が進んだ状態を示す概略縦断側面図である。
【図４】床スラブを挟んで建て込まれた束柱用捨型枠の要部斜視図である。
【図５】上下階の束柱用捨型枠と貫通孔との位置関係を説明する平面図である。
【図６】束柱用捨型枠の建て込み作業を説明する縦断側面図である。
【図７】床スラブに対する貫通孔の形成作業を説明する縦断側面図である。
【図８】束柱の築造作業を説明する縦断側面図である。
【図９】他の実施形態を示す束柱用捨型枠の搬入作業の説明図である。
【図１０】束柱用捨型枠の建て込み作業を説明する縦断側面図である。
【図１１】束柱用捨型枠の固定方法と床スラブに対する貫通孔の形成作業を説明する縦断側面図である。
【発明を実施するための形態】
【００２０】
図１〜図３は、本発明に係る建物の解体方法を示す。図において、１は、例えば、集合住宅、事務所ビル、デパート等の大型店舗ビルのような多層構造とされた既存の建物を示す。図示の建物は、地上８階建てであり、Ｆ１〜Ｆ８は１階〜８階の床スラブ、Ｒは屋上の床スラブ（屋根スラブ）である。２は柱、３は梁であり、建物の躯体フレームを構成している。
【００２１】
上記の建物１を最上階（屋上又はその下階の床スラブ）に搬入した解体重機Ａにより上階から下階へと順次解体して行くにあたり、この実施形態においては、解体重機Ａが作業する階から下、何層分かの床スラブにセメント系固結性流動物の現場打ちによる束柱４を築造して、床スラブの垂直方向の補強を行った後、解体重機Ａを屋上の床スラブ（屋根ス
ラブ）Ｒに搬入し、当該解体重機Ａで、図３に示すように、上階から下階へと順次、束柱４ごと解体して行くようにしている。
【００２２】
尚、解体ガラを床スラブＦ2〜Ｆ８に形成した開口（図示せず）から１階に投下し、こ
れを解体ガラ搬出車両Ｂで建物外に搬出する場合には、１階の床スラブＦ１に束柱が林立していると、解体ガラ搬出車両Ｂの走行の障害物となるので、２階の床スラブＦ2の上面
に、既存の躯体フレームに力を伝えるための補強床５を構築し、１階の床スラブＦ１には束柱を設けないことになる。
【００２３】
この実施形態は、上記の解体方法において、図４〜図８に示すように、上下階間の床スラブＦ3〜Ｆ８を挟んで立設される束柱用の捨型枠６を平面視において互に一部が重なり
合う状態に交互にずらして配置し、床スラブＦ3〜Ｆ８には、互に重なり合わない位置で
且つ下階の束柱用捨型枠６の内法寸法の範囲内に下階の束柱用捨型枠６に対するセメント系固結性流動物Ｓ打設用の貫通孔（コア孔用ドリルを使用して開けたコア孔）７を形成する点に特徴がある。セメント系固結性流動物Ｓとしては、生コンクリートでもよいが、高規格流動化処理土（建設発生土とセメントと水と粗骨材とから調製され、あるいは、これらに高性能ＡＥ減水剤等の混和剤を加えて調製されたもの）を使用することが低コスト化を図る上で望ましい。
【００２４】
束柱用の捨型枠６としては、図４に示すように、ダクト用スパイラル管が使用されており、上階の捨型枠６の下端部は、アングル状の取付け金物８とコンクリート釘９により床スラブの上面に固定される。下階の捨型枠６の上端部は、スパイラル管の外側にスライド自在に套嵌した筒状部分１０ａとその上端から半径方向外方へ折れ曲った水平な取付け片１０ｂとで構成された長さ調節用金物１０とコンクリート釘９により床スラブの下面に固定される。
【００２５】
束柱用の捨型枠６として用いるスパイラル管の直径、上下階間の床スラブＦ3〜Ｆ８を
挟んで立設されるスパイラル管の互にずらす距離Ｌ、貫通孔（コア孔）７の内径は、任意に設定できるが、図示の実施形態においては、スパイラル管の直径が２５０ｍｍ、上下階のスパイラル管の互にずらす距離Ｌを１２５ｍｍ、貫通孔７の内径を１０ｍｍに設定してある。
【００２６】
上記の構成によれば、束柱４の築造を、図１、図２、図８に示すように、上階から下階へと順次行うことができる。即ち、図５の（Ａ）、図６に示すように、上階の床スラブに形成された貫通孔７の下方に束柱用の捨型枠６を建て込み、しかる後、図５の（Ｂ）、図７に示すように、前記捨型枠６を基準にして下階の床スラブの所定位置（更に下階の束柱用捨型枠の内法寸法の範囲内）に貫通孔７を開け、図５の（Ｃ）、図８に示すように、前記床スラブの下面に下階の捨型枠６の上端部を固定する。このようにして、上下階間の床スラブＦ3〜Ｆ８を挟んで立設される束柱用の捨型枠６を平面視において互に一部が重な
り合う状態に交互にずらして配置し、床スラブＦ3〜Ｆ８には、互に重なり合わない位置
で且つ下階の束柱用捨型枠６の内法寸法の範囲内に下階の束柱用捨型枠６に対するセメント系固結性流動物打設用の貫通孔７を形成することになる。
【００２７】
従って、各階の束柱４を一部が同一垂直線上に配置された状態（平面視において部分的に重なり合った状態）に築造でき、それでいて、図８に示すように、上階の束柱用捨型枠６にセメント系固結性流動物Ｓを打設した後でも、下階の束柱用捨型枠６に前記貫通孔７からセメント系固結性流動物Ｓを流し込むことができ、束柱４の築造を、上階から下階へと順次行うことができるのである。
【００２８】
また、束柱用の捨型枠６を基準にして、例えば、或る階では、捨型枠６から西に１５ｍ
ｍずらして貫通孔７を形成し、その下階においては、前記貫通孔７の下方に建て込んだ捨型枠６から東に１５ｍｍずらして貫通孔７を形成するといったように、束柱用の捨型枠６基準にして交互に位置をずらしてコア抜き（貫通孔の形成）を行うので、貫通孔７を形成する位置の墨出し作業は最上階で行うだけで済み、それより下の階における墨出し作業を省略することができる。
【００２９】
図９〜図１１は、本発明の他の実施形態を示す。この実施形態は、束柱用の捨型枠６として用いるダクト用スパイラル管として、互にスライド自在に嵌合した内側スパイラル管６ａと外側スパイラル管６ｂとから成る公知のスライド式スパイラル管を使用した点に特徴がある。
【００３０】
前記スパイラル管（捨型枠６）における外側スパイラル管６ｂの上端近傍部には、円周方向に間隔を開けて３個の小孔を開けて、図１０に示すように、これらの小孔に番線１１を通し、番線１１の上端側を一まとめにして上方へ延出した状態に起立させてある。そして、番線１１の上端側を上階の床スラブに形成された貫通孔７に下階から差し入れ、この状態で、上階に居る作業員が番線１１の上端側を貫通孔７に掛け渡した鉄筋１２に、スパイラル管上端が床スラブ下面に当接するまで巻き取ることにより、図１１に示すように、スパイラル管（捨型枠６）の上端部を上階の床スラブに固定するように構成してある。また、内側スパイラル管６ａと外側スパイラル管６ｂは、階高に合致する長さに調節した状態で、タッピングビスによりビス止めしてある。
【００３１】
上記の構成によれば、束柱用の捨型枠６として用いるダクト用スパイラル管として、互にスライド自在に嵌合した内側スパイラル管６ａと外側スパイラル管６ｂとから成るスライド式スパイラル管を使用するので、階高に合わせてスパイラル管の長さを調節できる。
【００３２】
従って、既存の建物における各部位での階高を実測して、それに対応する長さのスパイラル管を発注するといった煩わしさがなくなり、単一種類での発注となるので、納期が短くて済む。
【００３３】
また、長さを短縮した状態で、ダクト用スパイラル管の現場搬入を行えるので、既存のエレベータＥによるダクト用スパイラル管の揚重に便利である。即ち、エレベータＥにおける昇降ケージの天井高さは、居室の床パネルから天井パネルまでの高さに対応しているので、階高よりもかなり低いのが普通である。そのため、階高に対応する長さの１本物のスパイラル管をエレベータＥで揚重する場合であれば、図９に仮想線で示すように、昇降ケージの天井の点検口を開けてスパイラル管の上端側を差し込むことになり、一度にせいぜい２本しか揚重できないが、長さを昇降ケージの天井高さ以下に短縮して積み込むことにより、一度に多数本のスパイラル管を揚重できることになる。
【００３４】
殊に、内側スパイラル管６ａと外側スパイラル管６ｂとから成るスライド式スパイラル管であるから、図１０、図１１に示す作業手順によって、上階の床スラブの上からスパイラル管（捨型枠６）の上端部を固定することが可能であり、前述した長さ調節用金物１０とコンクリート釘９により床スラブの下面にスパイラル管（捨型枠６）の上端部を固定する高所作業を省略できる。その他の構成、作用は、図１〜図８の実施形態と同じであるため、同一構成部材に同一符号を付し、説明を省略する。
【符号の説明】
【００３５】
１  建物
２  柱
３  梁
４  束柱
５  補強床
６  捨型枠
６ａ  内側スパイラル管
６ｂ  外側スパイラル管
７  貫通孔
８  取付け金物
９  コンクリート釘
１０  長さ調節用金物
１０ａ  筒状部分
１０ｂ  取付け片
１１  番線
１２  鉄筋
Ａ  解体重機
Ｂ  解体ガラ搬出車両
Ｅ  エレベータ
Ｆ1〜Ｆ８  床スラブ
Ｌ  ずらす距離
Ｒ  床スラブ（屋根スラブ）
Ｓ  セメント系固結性流動物
【図１】
0005465562.tif 000002
【図２】
0005465562.tif 000003
【図３】
0005465562.tif 000004
【図４】
0005465562.tif 000005
【図５】
0005465562.tif 000006
【図６】
0005465562.tif 000007
【図７】
0005465562.tif 000008
【図８】
0005465562.tif 000009
【図９】
0005465562.tif 000010
【図１０】
0005465562.tif 000011
【図１１】
0005465562.tif 000012